(57)【要約】【課題】  デリケート衣類を収納して損傷なく十分な汚れ落ちを確保するために、強水流での洗濯を可能とする低コストの洗濯用衣類ケースを提供する。【解決手段】  洗濯機による洗濯のために洗濯物を収容する洗濯用衣類ケースにおいて、少なくとも１つの開閉自在の開口部を設けた硬質プラスチックを素材とする容器と、前記容器の外面上または内面上に部分的に取り付けた浮力材と、前記容器における前記浮力材を取り付けていない部分に穿設した複数の通水孔とを有することを特徴とする。【選択図】  図１
2006167151.tif 000002
【特許請求の範囲】
【請求項１】
洗濯機による洗濯のために洗濯物を収容する洗濯用衣類ケースにおいて、
少なくとも１つの開閉自在の開口部を設けた硬質プラスチックを素材とする容器と、
前記容器の外面上または内面上に部分的に取り付けた浮力材と、
前記容器における前記浮力材を取り付けていない部分に穿設した複数の通水孔とを有することを特徴とする
洗濯用衣類ケース。
【請求項２】
前記容器に対し外側から内側へ窪んだ凹部を設け、該凹部内に浮力材を嵌め込んだことを特徴とする請求項１に記載の洗濯用衣類ケース。
【請求項３】
前記凹部に嵌め込んだ浮力材の表面と、該凹部以外の前記容器の外面とが連続面を形成することを特徴とする請求項２に記載の洗濯用衣類ケース。
【請求項４】
前記凹部に対応して前記容器の内側へ突出する部分の角部に丸みを設けたことを特徴とする請求項２または３に記載の洗濯用衣類ケース。
【請求項５】
前記容器の外面上の角部または突出部に緩衝材を取り付けたことを特徴とする請求項１〜４のいずれかに記載の洗濯用衣類ケース。
【請求項６】
前記容器が、同形状の一対の椀状部材同士を互いに対向させ周縁を整合させて形成されると共に、該一対の容器を開閉自在に連結する蝶番部と、該一対の容器を閉じた状態で固定するための留め部とを有し、
前記一対の椀状部材の各々が、その底部に前記浮力材を取り付けると共にその側壁部に前記通水孔を穿設したことを特徴とする
請求項１〜５のいずれかに記載の洗濯用衣類ケース。
【発明の詳細な説明】
【技術分野】
【０００１】
本発明は、取り扱いが手洗い、弱水流と表示された洗濯物を、洗濯機による強水流において、洗濯物の形状や繊維素材を損なわせずに洗濯するために当該洗濯物を収納する洗濯用衣類ケースに関する。
【背景技術】
【０００２】
従来のこの種の技術は、下記のようになっている。
洗濯においては、洗濯物に取り扱い表示が記されており、水洗いができるものは、例えば「手洗い」、「弱水流」、「強水流」の表示を用いた水流強度の段階に分けられている。手洗い表示の洗濯物は、通常、洗濯機が使用できないので個別の手作業が面倒であり、繊維や形状を損なわずに洗うことは容易ではない。また、弱水流表示の洗濯物は、洗濯機の弱水流機能によって、数分間洗濯水に漂う形態で洗濯されるが、汚れが落ちない場合が多く、繊維素材によっては、脱水時に型崩れを起こす場合もある。ウールやシルクなど、水洗いができる繊維衣料が増える中、依然として洗濯方法は、手洗いか弱水流に限られており、分別による洗濯回数の増加と汚れ落ちに不満が残る洗濯は避けられない問題にある。
【０００３】
強水流による洗濯は、攪拌作用で洗濯物がこすれ、絡み、ねじれが起こることによって傷みや型崩れが生じるため、洗濯ネットを使用する場合があるが、洗濯ネットは網状の袋であるため、収納した洗濯物は袋中にまとまっているだけで、機械力と水流による作用は他の洗濯物と同様に受ける。従って、型崩れを防ぐとされる洗濯ネットは、弱水流までの水流強度には有効であっても、手洗い及び弱水流表示の洗濯物を洗濯ネットを使用して強水流で洗濯しようとすれば、洗濯物の損傷が避けられない。
【０００４】
本出願人は、このような課題を解決すべく特許文献１に記載の発明をした。特許文献１に記載の洗濯用衣類ケースは、上方に向け緩やかなＵ字状の浅い椀状に構成された下ぶた部と、下方に向け緩やかな逆Ｕ字状の浅い椀状に構成された上ぶた部と、これら下ぶた部と上ぶた部を開閉自在に連結する連結金物から構成されている。これら下ぶた部及び上ぶた部はいずれも、内側層と外側層を積層した２層構造を有し、内側層は硬質軽量プラスチックからなる網状体であり、外側層は弾性をもつ衝撃緩和材からなり点在する通水孔が穿設されている。斯かる洗濯用衣類ケースに洗濯物を収納すれば、洗濯機にてデリケートな衣類を他の洗濯物と分別することなく、損傷させずに保護して洗うことができる。
【特許文献１】特許第３１１１２７５号公報
【発明の開示】
【発明が解決しようとする課題】
【０００５】
しかしながら、特許文献１に記載の従来の洗濯用衣類ケースは、以下の点に多少の問題を指摘できる。すなわち、下ぶた部と上ぶた部が各々２層構造を有し、一方の層を硬質プラスチックの網状体とし、他方の層に多数の通水孔を設けることを要するため、加工が高価となる上、製造工程が複雑となるという問題があった。  
【０００６】
上記の従来技術の問題点に鑑み、本発明は、デリケート衣類を収納して当該衣類を損傷することなくかつ十分な汚れ落ちを確保するために、洗濯機の強水流での洗濯を可能とすると同時に、低コストで製造できる構造の洗濯用衣類ケースを提供することを目的とする。
【課題を解決するための手段】
【０００７】
本発明は、上述のような問題を解決するため、下記のようになるものである。
３（１）請求項１に記載の洗濯用衣類ケースは、洗濯機による洗濯のために洗濯物を収容する洗濯用衣類ケースにおいて、
少なくとも１つの開閉自在の開口部を設けた硬質プラスチックを素材とする容器と、
前記容器の外面上または内面上に部分的に取り付けた浮力材と、
前記容器における前記浮力材を取り付けていない部分に穿設した複数の通水孔とを有することを特徴とする。
【０００８】
（２）請求項２に記載の洗濯用衣類ケースは、請求項１において、前記容器に対し外側から内側へ窪んだ凹部を設け、該凹部内に浮力材を嵌め込んだことを特徴とする。
【０００９】
（３）請求項３に記載の洗濯用衣類ケースは、請求項２において、前記凹部に嵌め込んだ浮力材の表面と、該凹部以外の前記容器の外面とが連続面を形成することを特徴とする。
【００１０】
（４）請求項４に記載の洗濯用衣類ケースは、請求項２または３において、前記凹部に対応して前記容器の内側へ突出する部分の角部に丸みを設けたことを特徴とする。
【００１１】
（５）請求項５に記載の洗濯用衣類ケースは、請求項１〜４のいずれかにおいて、前記容器の外面上の角部または突出部に緩衝材を取り付けたことを特徴とする。
【００１２】
（６）請求項６に記載の洗濯用衣類ケースは、請求項１〜４のいずれかにおいて、前記容器が、同形状の一対の椀状部材同士を互いに対向させ周縁を整合させて形成されると共に、該一対の容器を開閉自在に連結する蝶番部と、該一対の容器を閉じた状態で固定するための留め部とを有し、
前記一対の椀状部材の各々が、その底部に前記浮力材を取り付けると共にその側壁部に前記通水孔を穿設したことを特徴とする。
【発明の効果】
【００１３】
本発明は、上述のように構成されているので、下記のような効果を期待することができる。
請求項１に係る洗濯用衣類ケースは、少なくとも１つの開閉自在の開口部を設けた硬質プラスチックを素材とする容器を有する洗濯用衣類ケースであることから、洗濯の際に容器がねじれず、収納した洗濯物に強い水流や機械力が直接作用することを防ぐので、型崩れを起こさずに本来の形態を保ちながら洗うことができる。
【００１４】
また、容器の外面上または内面上に部分的に浮力材を取り付けたことから、洗濯の際に水面近傍に浮遊しやすい。よって他の洗濯物との絡みや他の洗濯物への影響が低減される。
【００１５】
さらに、浮力材は容器の一部に取り付けられ、容器における浮力材のない部分に通水孔を穿設するので、特許文献１のように容器全体を２相構造とする場合よりも製造工程が簡略化でき、コストを低減できる。また、複数の通水孔を通してのみ、容器内外の水流の出入りが可能であるので、収納した洗濯物は強水流であっても、通水作用によって穏やかに洗え、脱水時は水の放出が抑えられるため脱水が弱くかかり、きつい絞りジワが付かない。
【００１６】
請求項２に係る洗濯用衣類ケースは、請求項１の構成に加えて、容器に対し外側から内側へ窪んだ凹部を設け、該凹部内に浮力材を嵌め込んだので、浮力材を容器に対して強固に取り付けることができる。
【００１７】
請求項３に係る洗濯用衣類ケースは、請求項２の構成に加えて、凹部に嵌め込んだ浮力材の表面と、該凹部以外の容器の外面とが連続面を形成するので、容器の外面全体が凹凸のない滑らかな表面となるので、他の洗濯物との絡みや他の洗濯物への影響がさらに低減される。
【００１８】
請求項４に係る洗濯用衣類ケースは、請求項２または３において、凹部に対応して容器の内側へ突出する部分の角部に丸みを設けたので、収納された洗濯物が引っ掛かったり擦れたりして損傷を受けることがない。
【００１９】
請求項５に係る洗濯用衣類ケースは、容器の外面上の角部または突出部に緩衝材を取り付けたので、洗濯槽内に接触した場合において、洗濯槽の損傷を防ぎ、衝撃音も抑えられるので安全である。
【００２０】
請求項６に係る洗濯用衣類ケースは、容器が同形状の一対の椀状部材の周縁を対向整合させて形成され、各椀状部材の底部に浮力材を取り付け側壁部に通水孔を穿設したので、洗濯用衣類ケースの外面に鋭い角部や突起がない全体的に丸みのある形状となる。従って、圧力が加わっても変形しない特に強固な構造が実現される。また、一般洗濯物と一緒に洗濯しても、洗濯物と接触する際に摩擦がなく滑り通るため、こすれなどによる傷みが生じない。
【００２１】
また、浮力材を一対の容器のそれぞれの底部に取り付けた構造を有しているので、浮遊する際に底部を水面に対して平行な状態に保持し易い。従って、側壁部に設けた通水孔の通水が妨げられない。加えて、他の洗濯物と絡んだり、他の洗濯物に影響を及ぼすことがさらに少なくなる。また、収納した洗濯物への衝撃も軽減される。
【００２２】
その他、本発明の洗濯用衣類ケースは、容器内の収納空間をもつ構造を有しているので、手洗いよりも洗濯物を傷めず、弱水流より汚れ落ちを良くする課題を、洗濯機の強水流において解決することが実施が可能になる。従って、水流による分別洗いや、手洗いの必要はなくなり、さらに一般洗濯物とのまとめ洗いや簡略化によって、手間と洗濯回数が減らせるので、水や電気の消費削減と時間の有効利用ができる。
【００２３】
またさらに、ドライマーク製品において、ドライクリーニングでは、汗のような水溶性の汚れが落ちにくい特性があることから、適した洗剤の使用によっては、洗濯機で洗うことができるので、汗シミ汚れが落とせて、クリーニング費用も減らすことができる。デリケートな洗濯物に限らず、様々な洗濯物に適用できるので、洗濯による劣化が抑えられ、衣類などは長持ちする。
【発明を実施するための最良の形態】
【００２４】
本発明による洗濯用衣類ケースは、洗濯物を収納するために少なくとも１つの開閉自在の開口部を設けた硬質プラスチックを素材とする容器を本体とする。容器の外形は任意である。例えば、直方体、球体、楕円体、円柱若しくはこれらを一部変形した形状またはこれらを組合せた形状等である。開閉自在の開口部は、例えば、１つの容器の壁の一部に開閉蓋を設けたものがある。開口部の別の例としては、１つの容器を２分割して蝶番で連結して開閉自在としたものがある。
【００２５】
容器の素材とする硬質プラスチックは、通常、曲げ弾性率が定常状態で7,000kg／cm２以上のものとされている。よって、一般の熱硬化性樹脂（メラミン樹脂、フェノール樹脂、不飽和ポリエステル樹脂等）の他、スチロール樹脂、アクリル樹脂、ポリプロピレン、ポリカーボネート等も硬質プラスチックである。
【００２６】
本発明による洗濯用衣類ケースは、さらに、容器の外面上または内面上に部分的に浮力材を取り付ける。「部分的に」とは、容器の全面には取り付けないという意味である。浮力材は、通常、容器の壁厚と同程度の厚さの薄膜状とし、外郭形状は特に限定しない。また、容器に取り付ける浮力材は、十分な浮力が確保できるならば１個であっても複数個に分割されていてもよい。複数個の場合、それらの配置は任意である。しかしながら、通常は浮力材を容器全体に均等に配置することが好ましい。一例として、容器自体が対称的な形状である場合は、浮力材も対称的に配置することが好ましい（後述する図示の実施例参照）。浮力材の容器への取り付け方としては、例えば、容器の外面上または内面上に浮力材を積層させる。別の例としては、容器の壁に凹部を設け、浮力材を嵌め込んだものがある。接着、熱融着、機械的嵌め込み等により取り付けられる。容器の壁の凹部に浮力材を嵌め込む場合は、嵌め込まれた浮力材が容器の表面から突出してもよく、あるいは、浮力材の表面が容器の表面と連続面を形成してもよい。
【００２７】
浮力材は、洗濯用衣類ケース全体を水面またはその近傍に浮かせることができる程度の浮力を発揮する素材で形成される。少なくとも、比重が１より軽いプラスチックとする。例えば、ポリプロピレン若しくはポリエチレン、または硬質ポリウレタンフォーム等の発泡加工を施した種々のプラスチックである。
【００２８】
上記の浮力材は、容器の外面上または内面上に部分的に取り付けるため、容器上には浮力材を取り付けていない部分が存在する。本発明による洗濯用衣類ケースでは、この浮力材を取り付けていない部分に複数の通水孔を穿設する。１つの通水孔の大きさの上限は、収納された洗濯物の一部が抜け出さない程度であればよい。また１つの通水孔の大きさの下限は、洗濯水が円滑に入出することができる程度であればよい。尚、これらの通水孔の総面積が大きくなればなるほど、収納空間に流入・流出する水量が多くなり、収納した衣類に対する水流圧が強くなるため、衣類を損なわない程度の総面積とする。例えば、全通水孔の総面積を、洗濯用衣類ケース１の外面の総面積の５０％以下とすることが好ましい。１つの通水孔の形状は、円形、楕円形、角形、スリット形等いずれでもよく、特に限定しない。また、多数の通水孔の配置方法についても、浮力材を嵌め込んだ部分以外の部分であれば、特に限定しないが、全体的に均等に配置されることが好ましい。
【００２９】
またさらに、容器の外面上に角部または突出部がある場合には、その部分に緩衝材を取り付けることが好ましい。この緩衝材を設ける角部または突出部は、必ずしも鋭い突起とは限らず、緩やかな丸みの部分であっても外側に凸であれば全て含まれる。緩衝材は、洗濯用衣類ケースが洗濯槽内壁に接触または衝突した場合に、洗濯槽の損傷を防ぎ、衝撃音を抑える働きをする。緩衝材の素材は、弾性を有し衝撃を緩和する材料が好適であり、例えば、発泡ポリエチレン、ＥＶＡ樹脂、ＡＢＳ樹脂、熱可塑性エラストマー等である。
【００３０】
以下、好適な実施例を示した図面を参照しつつさらに詳細に説明する。
図１は、本発明による洗濯用衣類ケースの第１実施例の外観斜視図である。図２は、図１に示した洗濯用衣類ケース１の平面図である。図３は、図２のＸ−Ｘ断面図である。図４は、図３の一部拡大図である。図５は、図２のＹ−Ｙ断面図である。図６は、閉じた状態の側断面図であり、図７は開いた状態の側断面図である。図８は、１８０度開いた状態の平面図である。
【００３１】
図１の斜視図等に示すように、洗濯用衣類ケース１の本体である容器は、同形状の一対の椀状部材１１、１２からなり、各椀状部材の周縁同士を互いに対向させ、整合密着させることにより、内側に収納空間を形成したものである。本例の椀状部材１１、１２の各々は、周縁が円周である。尚、椀状部材１１、１２の大きさは、収納する衣類の量に合わせて適宜設定する。
【００３２】
図２の平面図に示すように、一対の椀状部材１１、１２は、それぞれの周縁の一部に設けた蝶番部１６により連結されており、この蝶番部１６を軸として図６及び図７に示すように開閉自在である。これにより開口部を形成する。
【００３３】
また、図２の平面図において、中心を挟んで蝶番部１６の反対側の周縁には、一対の椀状部材１１、１２を閉じた状態で固定するための留め部１７を設けている。尚、椀状部材１１、１２の寸法が大きい場合は、留め部１７を複数設けて均等に固定することが好適である。
【００３４】
図３のＸ−Ｘ断面図に示すように、同形状の椀状部材１１、１２は、略平坦な底部１１Ａ、１２Ａと、この底部の周囲から湾曲して垂直方向に延びる側壁部１１Ｂ、１２Ｂとを具備する。ここで「略平坦」とは、底部１１Ａ、１２Ａが完全な平坦面である必要はなく、なだらかな曲面であってもよいことを意味する。従って、洗濯用衣類ケース１が閉じた状態では、底部１１Ａと１２Ａとは互いにほぼ平行な位置関係となる。底部１１Ａ、１２Ａと側壁部１１Ｂ、１２Ｂとの間には厳密な境界はなく、なだらかに湾曲する曲面となっている。そして、側壁部１１Ｂ、１２Ｂは、周縁近傍では底部１１Ａ、１２Ａに対してほぼ垂直な方向に延びている。従って、椀状部材１１、１２の周縁同士を整合させて密着させると、双方の側壁部１１Ｂと１２Ｂとが同一面上で連続するように結合される。
【００３５】
図３に示すように、一対の椀状部材１１、１２の各々の底部１１Ａ、１２Ａには、その少なくとも一部に外側から内側へ窪んだ凹部１１Ａ１、１２Ａ１を設けている。これらの凹部１１Ａ１、１２Ａ１内には、浮力材１３が嵌め込まれている。本実施例では、浮力材１３が凹部１１Ａ１、１２Ａ１と同形状に形成されているため、浮力材１３を嵌め込むと、洗濯用衣類ケース１の外面は凹凸のない滑らかな面となる。浮力材１３の大きさ（すなわち凹部１１Ａ１、１２Ａ１の面積及び深さ）は、十分な浮力が得られる程度に設定する。
【００３６】
浮力材１３の形状は、本実施例では底部１１Ａ、１２Ａの中心について点対称な形状とすることが好ましい。これは、洗濯用衣類ケースを水面にほぼ平行な状態で浮遊させるためにバランスのよい浮力が得られるからである。また、浮力材１３は、少なくとも底部１１Ａ、１２Ａの一部に配置されるが、その配置範囲は底部１１Ａ、１２Ａに限定されず、側壁部１１Ｂ、１２Ｂへ拡がっていてもよい。また、連続的な１つの浮力材１３ではなく、複数に分割された浮力材１３から構成されていてもよく、それら複数の浮力材１３を外面上に均一に配置してもよい。
【００３７】
このように、洗濯用衣類ケース１の略平坦な一対の底部１１Ａ、１２Ａ内に一対の浮力材１３がそれぞれ嵌め込まれることにより、洗濯用衣類ケース１を洗濯槽に投入した際には、一対の浮力材１３の各々が水面に対してほぼ平行になるように働く。これにより、洗濯用衣類ケース１は、水面付近でほぼ平行状態を保持しつつ水流を受けて浮遊することとなる。
【００３８】
さらに、洗濯用衣類ケース１を形成する一対の椀状部材１１、１２の各々には、浮力材１３を嵌め込んでいない部分を貫通する多数の通水孔が穿設されている。例えば、底部１１Ａ、１２Ａの中央部に点在する複数の通水孔１５Ａ、側壁部１１Ｂ、１２Ｂに点在する複数の通水孔１５Ｂである。
【００３９】
また、一対の椀状部材１１、１２の各々の周縁の外側には緩衝材１４を設けている。図５のＹ−Ｙ断面図に示すように、本実施例の緩衝材１４は、リングを２分割した形状であり、椀状部材１１、１２の周縁に沿って外側へ突出して設けた突条１１Ｃ、１２Ｃに取り付けられている。緩衝材１４として、熱可塑性エラストマーを椀状部材１１、１２の周縁に一体化、積層させてもよい。
【００４０】
図４は、図３中の円Ｃの拡大概略図である。洗濯用衣類ケース１の外面において底部に凹部１１Ａ１を設けることにより、収納空間内には凹部１１Ａ１に対応して突出する部分が形成される。この突出部分の角部１１Ａ２に対し、丸みを形成することが好適である。尚、図４では一箇所のみを示しているが、収納空間内の全ての突出部分の角部も同様に丸みを形成することが好適である。これにより、収納された洗濯物が収納空間内で動く際に角部に引っ掛かったり擦れたりして損傷を受けるおそれが解消される。
【００４１】
図６〜図８を参照して、洗濯用衣類ケース１の開閉状況及び留め部１７の実施例について説明する。図６は、閉じた状態の洗濯用衣類ケース１を開く際の操作方法を示している。図６に実線で示すロックされた状態では、留め部１７のフック１７Ａがフック溝１７Ｂに係合している。ロックを外す場合は、一点破線で示すように、フック１７Ａの先端をフック溝１７Ｂから取り出す。フック１７Ａはその中央部分が椀状部材１１の周縁外側に軸支されているため、フック１７Ａの上端を押すことで先端を簡単に取り出せる。
【００４２】
こうして、図７に示すように、蝶番部１６を軸として椀状部材１１を回動させて開くことができる。図７で明示されるように、１１には留め部の凸側ガイド１７Ｃが設けられ、椀状部材１２には留め部の凹側ガイド１７Ｄが設けられている。図６の閉じた状態では、凸側ガイド１７Ｃと凹側ガイド１７Ｄとは互いに嵌合する。これにより、椀状部材１１と１２の留め部の位置決めを確実に行うことができる。
【００４３】
図８は、椀状部材１１と１２を互いに１８０度開いた状態の平面図である。椀状部材１１の周縁に沿って外側へ突出する突条１１Ｃの上面には、嵌合凹部１１Ｄが設けられている。一方、椀状部材１１の周縁に沿って外側へ突出する突条１２Ｃの上面には、上記の嵌合凹部１１Ｄに対応する嵌合凸部１２Ｄが設けられている。洗濯用衣類ケース１が閉じた状態で、嵌合凹部１１Ｄと嵌合凸部１２Ｄは互いに嵌合する。これにより、洗濯用衣類ケース１の確実な密閉が可能となる。
【００４４】
図９は、本発明による洗濯用衣類ケースの第２実施例の外観斜視図である。図９の洗濯用衣類ケース２は、図１の洗濯用衣類ケース１と比べて、椀状部材１１及び１２のそれぞれの底部の形状が円形ではなく角形となっている点が相違する。その他の点では同じ構造を有する。
【実施例１】
【００４５】
上記の本発明の洗濯用衣類ケース１を用いた洗濯試験を、次の通り実施した。
（試験方法）
・使用した洗濯機：家庭用全自動洗濯機（ナショナル製）４５Ｋ・１９年使用
・洗濯に使用した洗剤：「アリエール(登録商標)漂白剤プラス」（Ｐ＆Ｇ社製）
・前処理に使用する洗剤：
シミ、食べこぼし（ケチャップ、醤油）用には「トッププレケア(登録商標)弱酸性」（ライオン製）、皮脂汚れ（ファンデーション、口紅）用には「トッププレケア(登録商標)弱アルカリ性」（ライオン製）
・洗濯補助具：洗濯用衣類ケース（本発明の第１実施例）、洗濯ネット（対照）
・洗濯物：Ｔシャツ
・洗濯設定条件：
Ａ「汚れを２時間自然乾燥させたものを用い、前処理洗剤を湿布後、洗濯ネットに入れて洗濯機の弱水流で洗う。洗濯水位は５段階最低、洗濯時間は全自動３７分」
Ｂ「汚れを３時間自然乾燥させたものを用い、前処理洗剤を湿布後、そのままの状態で洗濯機の強水流（一般水流）で洗う。一般洗濯物（フェイスタオル１０枚、紳士アンダーシャツ４枚、紳士ステテコ１枚、紳士ショーツ１枚）とまとめて洗う。洗濯水位は５段階最高、洗濯時間は全自動３７分」
Ｃ「洗濯ネットに入れる以外は、Ｂと同じ」
Ｄ「洗濯用衣類ケースに入れる以外は、Ｂと同じ」
【００４６】
（試験結果）
結果を表１に示す。
【００４７】
【表１】
2006167151.tif 000003
各洗濯設定条件Ａ〜Ｄの所見は次の通りである。
Ａ：洗う時は洗濯水に漂う状態で通水が極弱いため、汚れ落ちが悪いと考えられる。また、強く長い脱水が３回行われるので、脱水時の機械力で傷むことが認められた。
Ｂ：もむ、こする、ねじる等の作用で、汚れ落ちが良くなると考えられる。しかし、これに比例して傷みが大きくなると認められた。
Ｃ：洗濯ネットに納めた洗濯物が、かたまり状態になると、汚れ落ちにムラがおきる。また、袋にまとまっていても、もむ、こする、ねじれる作用はさけられず、機械力を緩和することはできず、型崩れはおこる。
Ｄ：もむ、こする、ねじる作用ではなく、通水力で汚れを落とそうとしているので、のり状で厚くなっている汚れなどは、前処理をすることで汚れを落とすことができると考えられる。洗いから脱水まで、機械力や他の洗濯物の影響を直接受けないので、型崩れが無い。
【００４８】
以上の通り、本発明の洗濯用衣類ケースに収納して強水流で洗濯した場合、汚れ落ち及び型崩れの双方の点で良好な結果が得られた。
【図面の簡単な説明】
【００４９】
【図１】本発明による洗濯用衣類ケースの第１実施例の外観斜視図である。
【図２】図１に示した洗濯用衣類ケース１の平面図である。
【図３】図２のＸ−Ｘ断面図である。
【図４】図３の一部拡大図である。
【図５】図２のＹ−Ｙ断面図である。
【図６】第１の実施例における閉じた状態の側断面図
【図７】第１の実施例における開いた状態の側断面図である。
【図８】第１の実施例における１８０度開いた状態の平面図である。
【図９】本発明による洗濯用衣類ケースの第２実施例の外観斜視図である。
【符号の説明】
【００５０】
１  洗濯用衣類ケース
１１  椀状部材
１１Ａ  底部
１１Ａ１  凹部
１１Ａ２  突出角部
１１Ｂ  側壁部
１１Ｃ  突条
１１Ｄ  嵌合凹部
１２  椀状部材
１２Ａ  底部
１２Ｂ  側壁部
１２Ｃ  突条
１２Ｄ  嵌合凸部
１３  浮力材
１４  緩衝材
１５Ａ、１５Ｂ  通水孔
１６  蝶番部
１７  留め部
１７Ａ  フック
１７Ｂ  フック溝
１７Ｃ  留め部凸側ガイド
１７Ｄ  留め部凹側ガイド
【図１】
2006167151.tif 000004
【図２】
2006167151.tif 000005
【図３】
2006167151.tif 000006
【図４】
2006167151.tif 000007
【図５】
2006167151.tif 000008
【図６】
2006167151.tif 000009
【図７】
2006167151.tif 000010
【図８】
2006167151.tif 000011
【図９】
2006167151.tif 000012